(57)【要約】【課題】  傘を傘袋に入れ、前記傘袋を前記傘に固定した場合、前記傘袋が前記傘から滑り落下してしまうという短所があった。【解決手段】  ミシン目（４）を端部（３）を除いた部分に設けた構成。【選択図】図１
2010000225.tif 000002
【特許請求の範囲】
【請求項１】
切り込みあるいは孔もしくはミシン目（４）を端部（３）を除いた部分に設けたことを特徴とする傘袋。
【発明の詳細な説明】
【技術分野】
【０００１】
本発明は傘袋に係わる。
【背景技術】
【０００２】
特許文献１においては本発明と目的は一致しているが、切り込みあるいは孔もしくはミシン目を傘袋の端部を除いた部分に設けたことが明確ではないというところで本発明と構成を異にする。
【０００３】
特許文献２においては本発明と目的は一致しているが、傘の柄の部分から被せる袋というところ及び前記袋であることから、濡れた前記傘から垂れる液体が前記袋の下部から漏洩する場合があるというところで本発明と構成を異にする。
【０００４】
【特許文献１】特許第３９３２１４１号
【特許文献２】特開２００４−３２９８０６号
【発明の開示】
【発明が解決しようとする課題】
【０００５】
傘を傘袋に入れ、前記傘袋を前記傘に固定した場合、前記傘袋が前記傘から滑り落下してしまうという短所があった。
【課題を解決するための手段】
【０００６】
切り込みあるいは孔もしくはミシン目（４）を端部（３）を除いた部分に設けたことを特徴とする。
【発明の効果】
【０００７】
本発明は、切り込みあるいは孔もしくはミシン目（４）を端部（３）を除いた部分に設けたことで、傘（５）を傘袋の開口部（２）から傘袋の内部に入れ、該傘（５）の突起部（６）を該切り込みあるいは孔もしくはミシン目（４）に通した形態で傘袋を該傘（５）に固定することから、傘袋の自重で傘袋が該傘（５）にぶら下がる形態で固定されるため、傘袋が該傘（５）から滑り落下してしまうことを防止することができる。又、前記固定する場合及び該切り込みあるいは孔もしくはミシン目（４）がミシン目の場合、前記入れる前に前記ミシン目を破断すると前記ミシン目が孔の形態になり、スムーズに前記固定することができる。
【０００８】
又、傘袋の使用を終えて傘袋を捨てる場合は傘袋を該傘（５）から抜き出すことが容易である。
【０００９】
又、本発明は低コストで実現することができるため、材料費のコストダウンを図ることができる。
【発明を実施するための最良の形態】
【００１０】
本発明を実施するための形態を各図を参照して説明する。
本発明は、切り込みあるいは孔もしくはミシン目４を端部３を除いた部分に設けた傘袋である。本発明の素材はポリオレフィンすなわちポリプロピレン、ポリエチレンなどの樹脂材にしてもよい。
【００１１】
本発明の実施例においては図１、図２に示すように横方向の切り込みあるいは孔もしくはミシン目４を端部３近傍を除いた部分に設けた略四角形の傘袋に係わる。
【００１２】
図３に示す従来の傘袋においては図４に示すように傘５を図３に示す傘袋の開口部２から該傘袋の内部に入れ、該傘袋を該傘５に固定した場合、傘袋の自重で該傘袋が該傘５から滑り落下してしまう。
【００１３】
しかし、本発明は、図１、図２に示すように横方向の切り込みあるいは孔もしくはミシン目４を端部３近傍を除いた部分に設けたことで、図２に示すように傘５を図１に示す傘袋１の開口部２から該傘袋１の内部に入れ、該傘５の突起部６を該切り込みあるいは孔もしくはミシン目４に通した形態で該傘袋１を該傘５に固定することから、傘袋の自重で該傘袋１が該傘５にぶら下がる形態で固定されるため、該傘袋１が該傘５から滑り落下してしまうことを防止することができる。又、前記固定する場合及び該切り込みあるいは孔もしくはミシン目４がミシン目の場合、前記入れる前に前記ミシン目を破断すると前記ミシン目が孔の形態になり、スムーズに前記固定することができる。
【００１４】
又、該傘袋１の使用を終えて該傘袋１を捨てる場合は該傘袋１を該傘５から抜き出すことが容易である。
【００１５】
又、本発明は低コストで実現することができるため、材料費のコストダウンを図ることができる。
【産業上の利用可能性】
【００１６】
本発明は、外観に違和感を感じることがなく使い勝手がよい構成を低コストで実現することができるため、市場における拡販及び利便性の向上を期待することができる。
【図面の簡単な説明】
【００１７】
【図１】横方向の切り込みあるいは孔もしくはミシン目を端部近傍を除いた部分に設けた略四角形の傘袋の外観図
【図２】横方向の切り込みあるいは孔もしくはミシン目を端部近傍を除いた部分に設けた略四角形の傘袋の前記切り込みあるいは孔もしくはミシン目に傘の突起部を通した形態で前記傘袋を前記傘に固定したときの外観図
【図３】従来の傘袋の外観図
【図４】従来の傘袋を傘に固定したときの外観図
【符号の説明】
【００１８】
１  傘袋
２  開口部
３  端部
４  切り込みあるいは孔もしくはミシン目
５  傘
６  突起部
【図１】
2010000225.tif 000003
【図２】
2010000225.tif 000004
【図３】
2010000225.tif 000005
【図４】
2010000225.tif 000006
【手続補正書】
【提出日】平成20年9月3日(2008.9.3)
【手続補正１】
【補正対象書類名】特許請求の範囲
【補正対象項目名】全文
【補正方法】変更
【補正の内容】
【特許請求の範囲】
【請求項１】
ミシン目（４）を端部（３）を除いた部分に設けたことを特徴とする傘袋。
【手続補正２】
【補正対象書類名】明細書
【補正対象項目名】全文
【補正方法】変更
【補正の内容】
【発明の詳細な説明】
【技術分野】
【０００１】
本発明は傘袋に係わる。
【背景技術】
【０００２】
特許文献１においては本発明と目的は一致しているが、ミシン目を傘袋の端部を除いた部分に設けたことが明確ではないというところで本発明と構成を異にする。
【０００３】
特許文献２においては本発明と目的は一致しているが、傘の柄の部分から被せる袋というところ及び前記袋であることから、濡れた前記傘から垂れる液体が前記袋の下部から漏洩する場合があるというところで本発明と構成を異にする。
【０００４】
【特許文献１】特許第３９３２１４１号
【特許文献２】特開２００４−３２９８０６号
【発明の開示】
【発明が解決しようとする課題】
【０００５】
傘を傘袋に入れ、前記傘袋を前記傘に固定した場合、前記傘袋が前記傘から滑り落下してしまうという短所があった。
【課題を解決するための手段】
【０００６】
ミシン目（４）を端部（３）を除いた部分に設けたことを特徴とする。
【発明の効果】
【０００７】
本発明は、ミシン目（４）を端部（３）を除いた部分に設けたことで、傘（５）を傘袋の開口部（２）から傘袋の内部に入れ、該傘（５）の突起部（６）を該ミシン目（４）を破断して形成した孔に通した形態で傘袋を該傘（５）に固定することから、傘袋の自重で傘袋が該傘（５）にぶら下がる形態で固定されるため、傘袋が該傘（５）から滑り落下してしまうことを防止することができる。
【０００８】
又、傘袋の使用を終えて傘袋を捨てる場合は傘袋を該傘（５）から抜き出すことが容易である。
【０００９】
又、本発明は低コストで実現することができるため、材料費のコストダウンを図ることができる。
【発明を実施するための最良の形態】
【００１０】
本発明を実施するための形態を各図を参照して説明する。
本発明は、ミシン目４を端部３を除いた部分に設けた傘袋である。本発明の素材はポリオレフィンすなわちポリプロピレン、ポリエチレンなどの樹脂材にしてもよい。
【００１１】
本発明の実施例においては図１、図２に示すように横方向のミシン目４を端部３近傍を除いた部分に設けた略四角形の傘袋に係わる。
【００１２】
図３に示す従来の傘袋においては図４に示すように傘５を図３に示す傘袋の開口部２から該傘袋の内部に入れ、該傘袋を該傘５に固定した場合、傘袋の自重で該傘袋が該傘５から滑り落下してしまう。
【００１３】
しかし、本発明は、図１、図２に示すように横方向のミシン目４を端部３近傍を除いた部分に設けたことで、図２に示すように傘５を図１に示す傘袋１の開口部２から該傘袋１の内部に入れ、該傘５の突起部６を該ミシン目４を破断して形成した孔に通した形態で該傘袋１を該傘５に固定することから、傘袋の自重で該傘袋１が該傘５にぶら下がる形態で固定されるため、該傘袋１が該傘５から滑り落下してしまうことを防止することができる。
【００１４】
又、該傘袋１の使用を終えて該傘袋１を捨てる場合は該傘袋１を該傘５から抜き出すことが容易である。
【００１５】
又、本発明は低コストで実現することができるため、材料費のコストダウンを図ることができる。
【産業上の利用可能性】
【００１６】
本発明は、外観に違和感を感じることがなく使い勝手がよい構成を低コストで実現することができるため、市場における拡販及び利便性の向上を期待することができる。
【図面の簡単な説明】
【００１７】
【図１】横方向のミシン目を端部近傍を除いた部分に設け、前記設けた横方向のミシン目を破断して孔を形成したときの略四角形の傘袋の外観図
【図２】横方向のミシン目を端部近傍を除いた部分に設けた略四角形の傘袋の前記ミシン目を破断して形成した孔に傘の突起部を通した形態で前記傘袋を前記傘に固定したときの外観図
【図３】従来の傘袋の外観図
【図４】従来の傘袋を傘に固定したときの外観図
【符号の説明】
【００１８】
１  傘袋
２  開口部
３  端部
４  ミシン目
５  傘
６  突起部